(57)【要約】【課題】ダストボックスを昇降する際の負荷を軽減するともに、このダストボックス内の塵埃を容易に廃棄することができる空気調和機を提供する。【解決手段】熱交換器１１及び送風機９を有する本体ユニット１と、吸込開口２６を有する化粧パネル２１とを備えた天井埋込型空気調和機１００は、吸込開口２６内の一方側においてロール状に巻き回され、吸込口と送風機との間に繰り出されて吸込口からの吸込空気の塵埃を捕集するロールフィルタ４０と、ロールフィルタ４０を繰り出し或いは巻き取る第１巻取モータ４５及び第２巻取モータ４６とを設け、ロールフィルタ４０に当接して塵埃を除去するブラシ５１と、ブラシ５１により除去された塵埃が集積されるダストボックス５７と、ダストボックス５７を、ロールフィルタ４０及びブラシ５１に対して昇降可能に支持する吸込グリル３０及び昇降ユニット３５を備えている。【選択図】図３
2010043786.tif 000002
【特許請求の範囲】
【請求項１】
熱交換器及び送風機を有する本体ユニットと、この本体ユニットの下方に配置され、被調和室の空気を吸い込む吸込口を有する化粧パネルとを備えた空気調和機において、
前記吸込口内の一方側においてロール状に巻き回され、前記吸込口と前記送風機との間に繰り出されて前記吸込口からの吸込空気の塵埃を捕集するロールフィルタと、前記ロールフィルタを繰り出し或いは巻き取る巻取手段とを設け、
前記ロールフィルタの表面に当接して前記ロールフィルタの塵埃を除去する除去手段と、前記除去手段により前記ロールフィルタから除去された塵埃が当該除去手段から移されて集積されるダストボックスとを備え、さらに、前記ダストボックスを、前記ロールフィルタ及び前記除去手段に対して昇降可能に支持する昇降手段を備えたこと、
を特徴とする空気調和機。
【請求項２】
前記吸込口からの吸込空気の塵埃を捕集した前記ロールフィルタを、前記巻取手段によって前記吸込口と前記送風機との間から前記吸込口内の一方側或いは他方側に巻き取りつつ前記除去手段によって塵埃を除去し、その後に、塵埃を除去した部分の前記ロールフィルタを再び前記吸込口と前記送風機との間に繰り出すこと、
を特徴とする請求項１記載の空気調和機。
【請求項３】
前記除去手段を前記ロールフィルタの表面に対して接離可能に移動させる移動手段を備え、
前記移動手段によって前記除去手段を前記ロールフィルタの表面に当接させて、前記ロールフィルタを前記巻取手段によって前記吸込口内の一方側或いは他方側に巻き取ることで前記除去手段によって塵埃を除去し、その後、前記移動手段によって前記除去手段を前記ロールフィルタの表面から離間させてから塵埃を除去した部分の前記ロールフィルタを再び前記吸込口と前記送風機との間に繰り出すこと、
を特徴とする請求項２記載の空気調和機。
【請求項４】
前記除去手段は、前記ロールフィルタにおいて塵埃が付着する側の表面に当接するブラシであり、前記ロールフィルタを挟んで前記ブラシに対向する位置に押さえ板を備えたこと、
を特徴とする請求項１から３のいずれかに記載の空気調和機。
【請求項５】
前記本体ユニットと前記化粧パネルとの間にフィルタチャンバを備え、このフィルタチャンバに、前記ロールフィルタと、前記巻取手段と、前記除去手段とを設けたこと、
を特徴とする請求項１から４のいずれかに記載の空気調和機。
【発明の詳細な説明】
【技術分野】
【０００１】
本発明は、吸込空気の塵埃を捕集するフィルタを備えた空気調和機に関する。
【背景技術】
【０００２】
従来、空気調和機において吸込空気中の塵埃を除去するフィルタのメンテナンスを容易にすべく、フィルタから塵埃を取り除く塵埃除去部を設けたものが提案されている（例えば、特許文献１参照。）。この塵埃除去部は、フィルタに付着した塵埃を除去する回転ブラシと、この回転ブラシで除去した塵埃を捕集するダストボックスと、このダストボックス及び回転ブラシをエアフィルタに沿って移動させるガイドレール及び駆動モータと、を吸込グリル上に設けた構成となっている。
【特許文献１】特開２００７−４０６８９号公報
【発明の開示】
【発明が解決しようとする課題】
【０００３】
しかし、従来の構成では、吸込グリル上にエアフィルタ、回転ブラシ、ダストボックス、ガイドレール及び駆動モータ等が配置されているため、この吸込グリルを昇降させる昇降モータを含む機構の負荷が大きく、大きな重量を安定して昇降させる能力が要求されるという問題があった。
そこで、本発明は、上述した従来の技術が有する課題を解消し、ダストボックスを昇降する際の負荷を軽減するともに、このダストボックス内の塵埃を容易に廃棄することができる空気調和機を提供することを目的とする。
【課題を解決するための手段】
【０００４】
上述課題を解決するため、本発明は、熱交換器及び送風機を有する本体ユニットと、この本体ユニットの下方に配置され、被調和室の空気を吸い込む吸込口を有する化粧パネルとを備えた空気調和機において、前記吸込口内の一方側においてロール状に巻き回され、前記吸込口と前記送風機との間に繰り出されて前記吸込口からの吸込空気の塵埃を捕集するロールフィルタと、前記ロールフィルタを繰り出し或いは巻き取る巻取手段とを設け、前記ロールフィルタの表面に当接して前記ロールフィルタの塵埃を除去する除去手段と、前記除去手段により前記ロールフィルタから除去された塵埃が当該除去手段から移されて集積されるダストボックスとを備え、さらに、前記ダストボックスを、前記ロールフィルタ及び前記除去手段に対して昇降可能に支持する昇降手段を備えたことを特徴とする。
【０００５】
この構成によれば、ロールフィルタを巻取手段によって繰り出し或いは巻き取ることにより、ロールフィルタの表面に当接する除去手段によって、ロールフィルタの表面に付着した塵埃を容易に除去することができ、除去された塵埃が集積されるダストボックスを昇降させることでダストボックス内の塵埃を簡単に取り除くことができる。これにより、フィルタのメンテナンスが容易で、ダストボックスを昇降する際の負荷が非常に軽くて済む空気調和機を提供できる。また、長期間にわたって交換せず使用可能なロールフィルタから塵埃を除去することで、ロールフィルタの交換周期をさらに長くすることができ、メンテナンスに係る労力を大幅に軽減できる。
【０００６】
この構成において、前記吸込口からの吸込空気の塵埃を捕集した前記ロールフィルタを、前記巻取手段によって前記吸込口と前記送風機との間から前記吸込口内の一方側或いは他方側に巻き取りつつ前記除去手段によって塵埃を除去し、その後に、塵埃を除去した部分の前記ロールフィルタを再び前記吸込口と前記送風機との間に繰り出す構成としてもよい。
【０００７】
この場合、ロールフィルタを巻取手段によって巻き取ることで塵埃を除去した後で、このロールフィルタを再び吸込口と送風機との間に繰り出して、吸込空気の塵埃を捕集するフィルタとして使用するので、ロールフィルタの塵埃を除去して繰り返し使用できる。これにより、ロールフィルタの交換周期を大幅に延長することができ、メンテナンスに係る労力を軽減できる。
【０００８】
また、この構成において、前記除去手段を前記ロールフィルタの表面に対して接離可能に移動させる移動手段を備え、前記移動手段によって前記除去手段を前記ロールフィルタの表面に当接させて、前記ロールフィルタを前記巻取手段によって前記吸込口内の一方側或いは他方側に巻き取ることで前記除去手段によって塵埃を除去し、その後、前記移動手段によって前記除去手段を前記ロールフィルタの表面から離間させてから塵埃を除去した部分の前記ロールフィルタを再び前記吸込口と前記送風機との間に繰り出す構成としてもよい。
【０００９】
この場合、除去手段をロールフィルタの表面に当接させてロールフィルタを巻き取ることで塵埃を除去し、除去手段をロールフィルタの表面から離して再びロールフィルタを繰り出すので、巻取手段を利用してロールフィルタの表面から塵埃を効率よく除去する一方、単にロールフィルタを巻き取り或いは繰り出す場合にはロールフィルタに除去手段が当接しない。このため、ロールフィルタを巻き取り或いは繰り出す動作を効率よく行うことができ、除去手段及びロールフィルタの耐久性の向上が期待できる。
【００１０】
さらに、この構成において、前記除去手段は、前記ロールフィルタにおいて塵埃が付着する側の表面に当接するブラシであり、前記ロールフィルタを挟んで前記ブラシに対向する位置に押さえ板を備えた構成としてもよい。
この場合、ブラシをロールフィルタに当接させ、このブラシに対向する押さえ板を設けたことにより、ロールフィルタの表面の塵埃を、効率よく確実に除去できる。
【００１１】
また、この構成において、前記本体ユニットと前記化粧パネルとの間にフィルタチャンバを備え、このフィルタチャンバに、前記ロールフィルタと、前記巻取手段と、前記除去手段とを設けた構成としてもよい。
この場合、ロールフィルタと、巻取手段と、除去手段とをフィルタチャンバに設けたことにより、昇降手段の負荷が軽く済む。
【発明の効果】
【００１２】
本発明によれば、ロールフィルタを用いるとともにロールフィルタの交換周期を長くすることで、メンテナンスに係る労力を大幅に軽減することが可能であり、ダストボックスを昇降する際の負荷が非常に軽くて済む空気調和機を実現できる。
【発明を実施するための最良の形態】
【００１３】
以下、本発明の一実施の形態を、図面を参照して説明する。
図１は、本発明の実施の形態に係る天井埋込型空気調和機１００の斜視図であり、図２は天井埋込型空気調和機１００の分解斜視図である。また、図３は天井埋込型空気調和機１００の断面図である。
天井埋込型空気調和機１００は、箱形に形成された板金製の本体ユニット１を有し、この本体ユニット１と、フィルタチャンバ２０と、化粧パネル２１とが三段に重ねられて構成されている。
本体ユニット１の外側面には複数の吊り金具１Ｂが設けられており、各々の吊り金具１Ｂには天井に固定された吊下ボルト２がナット４によって固定され、これらの吊下ボルト２を介して、天井埋込型空気調和機１００は天井空間内に吊り下げ設置される。
【００１４】
図３に示すように、本体ユニット１の内部には、側板１Ａ及び天面の内側に発泡スチロール製の断熱材３がほぼ全面にわたって配置されており、この断熱材３の内側に、送風機９、及び熱交換器１１が収容されている。
送風機９は、シャフトを下向きに配置されたモータ５と、モータ５のシャフトに取り付けられたターボファン７とで構成されている。熱交換器１１は、上面視で五角形に成形されたプレートフィン型の熱交換器であり、送風機９を取り囲むように配置される。
【００１５】
熱交換器１１の下方には、熱交換器１１の下面１１Ａを覆うように、発泡スチロール樹脂等の合成樹脂製のドレンパン１３が配設され、ドレンパン１３に溜まるドレンを外部に排出するドレンポンプ（図示略）が設けられている。
ドレンパン１３は、本体ユニット１の側板１Ａの内面に接するように配設され、ドレンパン１３の中央には吸込開口１４が開口し、周縁部には熱交換器１１を通った送風機９の排気を通すための吹出開口１５が形成されている。吸込開口１４の上部には、吸込開口１４を通った被調和室の空気を送風機９に案内するノズル１７が取り付けられている。また、ドレンパン１３には天井埋込型空気調和機１００の制御回路や電源回路等を収容した電装ボックス（図示略）等の各種部品がねじ止めされている。
【００１６】
フィルタチャンバ２０は、ドレンパン１３の直下に重ねて配設されており、フィルタチャンバ２０にはドレンパン１３の吹出開口１５に連通する通風孔２５と、吸込開口１４に連通する吸込開口２６とが形成されている。
フィルタチャンバ２０の下面には、化粧パネル２１が取り付けられ、化粧パネル２１は、図３に示すように天井板１０と略面一となっている。
化粧パネル２１には、被調和室の空気を吸込む吸込口２２と、熱交換器１１を通った調和空気を被調和室に吹き出す吹出口２３とが形成され、吸込口２２はフィルタチャンバ２０の吸込開口２６に連通し、吹出口２３はフィルタチャンバ２０の通風孔２５に連通する位置および形状に形成されている。
さらに、図１に示すように化粧パネル２１の下面隅部にはインジケータ２１Ａが配置されている。インジケータ２１Ａは複数のＬＥＤを備え、これらＬＥＤの点灯状態（点灯、消灯、点滅）によって天井埋込型空気調和機１００の動作状態を表示するとともに、各種の報知を行う。
【００１７】
また、化粧パネル２１には、吸込口２２に嵌合する吸込グリル３０と、吸込グリル３０を４本の吊紐３６、３７、３８、３９によって昇降自在に支持する昇降ユニット３５とが取り付けられている。吸込グリル３０の中央には室内空気を吸い込む吸込口３１が形成され、吸込グリル３０が吸込口２２に嵌合した状態で吸込口３１が吸込開口２６に連通する。
【００１８】
昇降ユニット３５は、化粧パネル２１の内側、すなわちフィルタチャンバ２０側の面に、板金製のステー（図示略）を介して取り付けられ、４本の吊紐３６〜３９を繰り出し、或いは巻き戻すことにより、所定の範囲で吸込グリル３０を昇降させる。昇降ユニット３５は、吸込グリル３０とともに昇降手段として機能する。
吸込グリル３０は、その一辺に２本の吊紐３６、３７が固定され、他辺に２本の吊紐３８、３９が固定されている。昇降ユニット３５は、吊紐３６〜３９の繰り出し及び巻き戻しを行う昇降機構（図示略）と、昇降機構を制御する制御基板（図示略）とを、一つの筐体に収納したものである。
【００１９】
吊紐３６〜３９は、その一端がそれぞれ吸込グリル３０の裏面、すなわち図中上側の面に固定され、他端は、化粧パネル２１の裏面に設けられたガイドによって水平方向に転向され、昇降ユニット３５内に収容される。
昇降機構は、吊紐３６〜３９がそれぞれ巻き回されるボビン（図示略）、ボビンを回転させるギヤ（図示略）及びグリル昇降モータ３７（図６）を内蔵し、このグリル昇降モータ３７の正転或いは逆転動作によってボビンが正方向または逆方向に回転され、吊紐３６〜３９の繰り出し或いは巻き戻しが行われる。
吊紐３６〜３９が巻かれた各ボビンは、吸込グリル３０をなるべく水平を保って昇降させるべく、各々の吊紐３６〜３９が一様に繰り出され、或いは巻き戻されるように、その径と回転量が設定されている。また、各ボビンは独立した軸により支持されていてもよいし、複数のボビンを同軸に支持され、同時に回転する構成としてもよい。
【００２０】
このように構成される天井埋込型空気調和機１００は、図示しない室外機から供給される冷媒を熱交換器１１に通して、熱交換器１１を蒸発器または凝縮器として機能させることにより、被調和室の室内空気を冷却または加熱する。すなわち、天井埋込型空気調和機１００は、送風機９の動作によって吸込グリル３０の吸込口３１から室内空気を吸い込み、この室内空気は化粧パネル２１の吸込口２２、フィルタチャンバ２０の吸込開口２６、本体ユニット１の吸込開口１４、及び、ノズル１７を通って吸い上げられる。この室内空気は送風機９によって熱交換器１１に送り込まれ、熱交換器１１を通る際に冷却または加熱され、調和空気となる。そして、この調和空気は、本体ユニット１の吹出開口１５からフィルタチャンバ２０の通風孔２５を通って下方に流れ、化粧パネル２１の吹出口２３から被調和室に吹き出され、被調和室を冷房または暖房する。
【００２１】
フィルタチャンバ２０の吸込開口２６には、ロールフィルタ４０が配設されている。ロールフィルタ４０は、送風機９によって吸込口３１から吸い込まれた被調和室内の空気を通過させる際に、この吸込空気中に浮遊する塵埃を捕集するフィルタであり、室内空気が入る吸込口３１側の面は、塵埃が付着する捕集面４０Ａとなる。
【００２２】
ロールフィルタ４０の一端は、吸込開口２６の一端側に配設された第１ロール４１に巻かれており、他端は吸込開口２６の他端側に配設された第２ロール４２に巻かれている。ロールフィルタ４０は、第１ロール４１と第２ロール４２との間で、吸込開口２６の端に配設されたガイドローラ４７、４８に架け渡されている。ガイドローラ４７、４８は、それぞれ吸込開口２６の端に極めて近い位置に配設されており、ガイドローラ４７、４８間に張られたロールフィルタ４０は、吸込開口２６のほぼ全面を覆っていて、このガイドローラ４７、４８間に吸込空気を通過させる。
第１ロール４１、第２ロール４２、及びガイドローラ４７、４８は、いずれも、吸込開口２６の内壁面に直接またはステー等を介して、回転可能に取り付けられている。
【００２３】
第１ロール４１には使用前のロールフィルタ４０が巻かれており、このロールフィルタ４０が順次繰り出されて、フィルタとして使用される。ロールフィルタ４０のうち、ガイドローラ４７、４８間に位置する部分が吸込空気を通すフィルタとして機能するので、このガイドローラ４７、４８間の距離に相当する長さを１回分とする。第１ロール４１には１回分の使用量に比べて十分に長く、例えば数回〜数十回分の長さのロールフィルタ４０が巻かれている。このため、天井埋込型空気調和機１００の運転中に塵埃が捕集面４０Ａに付着した場合には、１回分の長さのロールフィルタ４０を第２ロール４２に巻き取り、巻き取り分に相当する長さを第１ロール４１から繰り出すことによって、吸込開口２６を覆うフィルタを全て新品に替えることができる。この動作によれば、第１ロール４１と第２ロール４２を回転させるだけで、古いフィルタを新品のフィルタに交換した場合と同様に、塵埃の捕集能力が回復する、通風抵抗が低下する等の効果が得られる。
【００２４】
第１ロール４１の軸にはギヤ４１Ａが取り付けられ、このギヤ４１Ａには伝達ギヤ４３が噛み合い、この伝達ギヤ４３には第１巻取モータ４５の回転軸に連結されたギヤ４５Ａが噛み合っている。一方、第２ロール４２の軸にはギヤ４２Ａが取り付けられ、このギヤ４２Ａは伝達ギヤ４４に噛み合い、伝達ギヤ４４には、第２巻取モータ４６の回転軸に連結されたギヤ４６Ａが噛み合っている。このため、第１巻取モータ４５（巻取手段）の回転動作によって第１ロール４１が回転し、第２巻取モータ４６（巻取手段）の回転動作によって第２ロール４２が回転する。
【００２５】
本実施形態では、ロールフィルタ４０を第１ロール４１から第２ロール４２に向けて送る方向（図３中符号Ａ）を順方向、第２ロール４２から第１ロール４１に向けて送る方向（図３中符号Ｂ）を逆方向とする。ロールフィルタ４０を順方向に送る場合は第２巻取モータ４６によって第２ロール４２が回転され、ロールフィルタ４０が第２ロール４２に巻き取られる。一方、ロールフィルタ４０を逆方向に送る場合は第１巻取モータ４５によって第１ロール４１が回され、ロールフィルタ４０が第１ロール４１に巻き取られる。
【００２６】
そして、ガイドローラ４７、４８間には、ガイドローラ４７側に寄った位置に、ブラシ５１と押さえ板５３とが配設されている。ブラシ５１は、一面側に植毛され、この植毛面がロールフィルタ４０の捕集面４０Ａに当接した状態で、捕集面４０Ａに付着している塵埃を掻き落とすブラシである。また、押さえ板５３は、ロールフィルタ４０を挟んでブラシ５１に対向する位置にあって、ブラシ５１とともにロールフィルタ４０を挟み込む板状部材である。
ブラシ５１及び押さえ板５３は、いずれも、ロールフィルタ４０の幅方向に延びる棒形状の部材であって、その両端は吸込開口２６の壁面に支持されている。ブラシ５１及び押さえ板５３は、後述する移動ユニット５０によって、ロールフィルタ４０に近づく方向と、ロールフィルタ４０から離れる方向とに移動させることが可能である。
【００２７】
図４は、天井埋込型空気調和機１００の要部構成を示す拡大図であり、図４Ａはブラシ５１及び押さえ板５３を移動させる移動ユニット５０の構成を示す要部拡大側面図であり、図４Ｂはダストボックス５７の取付状態を示す要部断面図である。
図４Ａに示すように、移動ユニット５０（移動手段）は、ブラシ５１と押さえ板５３とのほぼ中間位置に配設されたブラシ昇降ギヤ６１と、ブラシ昇降モータ６４の回転軸に取り付けられた駆動ギヤ６３と、駆動ギヤ６３の回転力をブラシ昇降ギヤ６１に伝達する伝達ギヤ６２と、を備えている。これらブラシ昇降ギヤ６１、伝達ギヤ６２及び駆動ギヤ６３は、吸込開口２６を構成するフィルタチャンバ２０の壁面に、回転可能に支持されている。
【００２８】
また、ブラシ５１の末端にはブラシ支持軸５２が突出し、押さえ板５３の末端には押さえ板支持軸５４が突出している。これらブラシ支持軸５２及び押さえ板支持軸５４は、フィルタチャンバ２０の壁面に固定された２本のガイド枠５５によって側方から挟まれており、このガイド枠５５に沿って、上下にスライド可能となっている。
【００２９】
ブラシ支持軸５２には押さえ板５３に向かって突出するラック５６が取り付けられ、押さえ板支持軸５４にはブラシ５１に向かって突出するラック５８が取り付けられており、これらのラック５６、５８はブラシ昇降ギヤ６１に噛み合っている。このため、ブラシ昇降ギヤ６１の回転によって、ラック５６、５８が上下に移動し、ブラシ５１及び押さえ板５３が同時に上昇または下降する。
図４Ａに示す構成では、ブラシ昇降ギヤ６１が、図中符号Ｄ１で示すように反時計回りに回転すると、ラック５６が上昇し、ラック５８が下降する。このため、ブラシ５１と押さえ板５３は互いに接近するように、図中矢印Ｄ３で示す向きに移動して、ロールフィルタ４０を挟み込む。
これに対し、ブラシ昇降ギヤ６１が、図中符号Ｄ２で示すように時計回りに回転すると、ラック５６が下降する一方で、ラック５８は上昇する。このため、ブラシ５１と押さえ板５３は互いに離隔するように、図中矢印Ｄ４で示す向きに移動して、ロールフィルタ４０から離れる。
【００３０】
このように、移動ユニット５０は、ブラシ昇降モータ６４の動作によってブラシ５１と押さえ板５３とを、ロールフィルタ４０に接近及び当接させ、或いは離隔させるように移動させる。このため、捕集面４０Ａの塵埃を掻き落とす必要がある場合にはブラシ５１と押さえ板５３とをロールフィルタ４０に当接させ、それ以外の状態ではブラシ５１と押さえ板５３とをロールフィルタ４０から離しておくことができる。
そして、移動ユニット５０によってブラシ５１と押さえ板５３とがロールフィルタ４０側に移動されると、ブラシ５１が捕集面４０Ａに当接するとともに、ロールフィルタ４０の裏側に押さえ板５３が当接する。つまり、ロールフィルタ４０はブラシ５１と押さえ板５３とに挟まれるため、ブラシ５１が捕集面４０Ａに確実に接触し、捕集面４０Ａの塵埃を確実に掻き落とすことができ、捕集面４０Ａに強く付着した塵埃も除去できる。
【００３１】
また、ブラシ５１の下方には、ブラシ５１によって捕集面４０Ａから掻き落とされた塵埃を捕集するダストボックス５７が配設されている。ダストボックス５７は上面が開口しており、ブラシ５１の端から落下する塵埃を受けて蓄積する箱である。
図４Ｂに示すように、ダストボックス５７は、吸込グリル３０の上面に立設された２枚のリブ３３に挟まれて支持される。ダストボックス５７の側面にはボス５９が設けられ、リブ３３には、ボス５９が嵌合する受け穴３４が形成されていて、受け穴３４にボス５９がはまり込むことで、ダストボックス５７が脱落しないよう支持されている。
ダストボックス５７内に塵埃が溜まった場合には、ダストボックス５７を吸込グリル３０から取り外して、ダストボックス５７内の塵埃を捨てることができる。この場合、ダストボックス５７の上部の開口部の両端を、図４Ｂに矢印で示すように、リブ３３から離れる方向に押圧して、受け穴３４からボス５９を離脱させることで、ダストボックス５７を取り外すことができる。
【００３２】
また、ダストボックス５７は吸込グリル３０に支持されているため、昇降ユニット３５の動作により吸込グリル３０を下降させると、ダストボックス５７は吸込グリル３０とともに下降する。
図５は、天井埋込型空気調和機１００において吸込グリル３０を下降させた状態を示す断面図である。
この図５に示すように、吸込グリル３０は、昇降ユニット３５から繰り出される４本の吊紐３６〜３９により吊り下げられ、化粧パネル２１から真下に下降する。このとき、吸込グリル３０の裏面、すなわち上面のリブ３３、３３によって保持されているダストボックス５７は、吸込グリル３０とともに下降する。従って、ダストボックス５７に塵埃が溜まった場合には、吸込グリル３０を下降させて、上記のようにダストボックス５７を取り外し、ゴミを捨て、必要に応じてダストボックス５７を洗浄すればよい。
また、吸込グリル３０にはロールフィルタ４０を含む各部が搭載されず、ダストボックス５７が取り付けられただけであるから、吸込グリル３０を昇降させる際に昇降ユニット３５に加わる重量負荷が小さくて済むという利点がある。
【００３３】
図６は、ロールフィルタ４０の駆動に係る制御回路７０の構成を示す機能ブロック図である。
この制御回路７０は、各部を集中制御する制御回路７０に、不揮発性メモリ７２、モータドライバ７３、センサ制御回路７４、及び、通信部７８を接続して構成される。
マイコン７１は、図示しないメモリを内蔵し、このメモリに格納されたプログラムを読み出して実行することにより、制御回路７０の各部を制御する。
不揮発性メモリ７２は、ＥＥＰＲＯＭやフラッシュメモリにより構成され、マイコン７１によってモータドライバ７３やセンサ制御回路７４を制御する際に必要な設定値等を記憶する。
モータドライバ７３は、天井埋込型空気調和機１００が備える第１巻取モータ４５、第２巻取モータ４６、ブラシ昇降モータ６４、及びグリル昇降モータ３７の各モータに接続されている。モータドライバ７３は、これら各モータに対して、マイコン７１の制御に従って駆動電流を供給し、各モータを駆動制御する。ここで、第１巻取モータ４５、第２巻取モータ４６、ブラシ昇降モータ６４、及びグリル昇降モータ３７のいずれかがステッピングモータで構成される場合、モータドライバ７３は、当該モータに対して駆動パルスを出力して、必要量だけ当該モータを動作させる。
【００３４】
センサ制御回路７４は、巻取位置センサ６６、グリル位置センサ６７、及びダストボックスセンサ６８の各センサに接続されている。巻取位置センサ６６は、第１ロール４１及び第２ロール４２のいずれか、或いは両方におけるロールフィルタ４０の巻き取り量を検出するセンサである。巻取位置センサ６６の検出値に基づいて、ロールフィルタ４０が、第１ロール４１と第２ロール４２との各々に巻かれている量を求めることができる。巻取位置センサ６６は、具体的には、第１ロール４１及び第２ロール４２の回転量を検出するロータリーエンコーダを用いて実現可能である。
グリル位置センサ６７は、昇降ユニット３５によってグリル昇降モータ３７を上昇または下降させる際の吸込グリル３０の位置を検出するセンサである。グリル位置センサ６７は、具体的には、吊紐３６〜３９を巻き取るボビンの回転量を検出するロータリーエンコーダを用いて実現可能である。
【００３５】
ダストボックスセンサ６８は、ダストボックス５７に溜まった塵埃が所定量に達したことを検出するセンサであり、このダストボックスセンサ６８の検出値に基づいて、ダストボックス５７内のゴミを捨てる必要があるか否かを判別できる。ダストボックスセンサ６８は、例えば、ダストボックス５７が透明な箱で構成される場合に、このダストボックス５７に光を透過させて透光量を検出することで塵埃の量を検出するセンサや、ダストボックス５７の上端近傍における塵埃の有無を光学的に検出するセンサ、或いは、ダストボックス５７の重量を検出するセンサ等により実現できる。
センサ制御回路７４は、巻取位置センサ６６、グリル位置センサ６７及びダストボックスセンサ６８の各々における検出値を予め設定された所定周期でサンプリングし、検出値を示すデジタルデータをマイコン７１に出力する。
【００３６】
また、マイコン７１は、通信部７８により、天井埋込型空気調和機１００を操作するリモコン８０との間で無線通信を実行可能である。
リモコン８０は、複数の操作子と、この操作子の操作により設定された内容を表示する液晶表示装置とを備え、当該操作子の操作に応じて、操作信号を通信部７８に無線送信する。通信部７８は、リモコン８０から送信される操作信号を受信して、マイコン７１に出力する。例えば、リモコン８０が備える操作子によって吸込グリル３０を下降させるよう指示された場合、マイコン７１は、この操作を示す操作信号に応答して、モータドライバ７３によってグリル昇降モータ３７を正転動作させ、吸込グリル３０を下降させる。ここで、マイコン７１は、センサ制御回路７４を介してグリル位置センサ６７の検出値を取得し、吸込グリル３０が所定位置まで下降したところでグリル昇降モータ３７を停止させる。その後、リモコン８０によって吸込グリル３０を上昇させる指示が入力された場合、マイコン７１は、この指示操作の操作信号に応答して、モータドライバ７３によってグリル昇降モータ３７を逆転動作させ、吸込グリル３０を上昇させる。
【００３７】
マイコン７１は、センサ制御回路７４から入力されるデータに基づいて、モータドライバ７３を制御して各モータを動作させることで、ロールフィルタ４０の巻き取り動作、ロールフィルタ４０の清掃動作等を実行する。
また、マイコン７１は、センサ制御回路７４から入力されるデータに基づいて、ダストボックス５７内の塵埃を捨てる必要があると判別した場合には、インジケータ２１Ａを所定の状態で点灯或いは点滅させることで、ゴミ捨てが必要である旨の報知を行う。
【００３８】
図７は、天井埋込型空気調和機１００の動作を示すフローチャートであり、特に、ロールフィルタ４０の駆動に係る動作を示す。
この図７に示す動作は、天井埋込型空気調和機１００の空調運転時間が、予め設定された所定時間に達する毎に、実行される。
【００３９】
制御回路７０のマイコン７１は、天井埋込型空気調和機１００の空調運転の累積運転時間が所定時間に達する毎に、ロールフィルタ４０の清掃を行うため、モータドライバ７３を制御してブラシ昇降モータ６４を動作させ、ブラシ５１がロールフィルタ４０の捕集面４０Ａに接するように、ブラシ５１と押さえ板５３とを移動させる（ステップＳ１１）。
次に、マイコン７１は、第１巻取モータ４５を動作させて、ロールフィルタ４０を第１ロール４１に巻き取ることで、ロールフィルタ４０を逆方向（図３の矢印Ｂ方向）に移動させる（ステップＳ１２）。
この巻き取り動作によって、ロールフィルタ４０のうち吸込口３１からの吸込空気の塵埃を捕集した部分が、第１ロール４１側に送られ、その途中でブラシ５１によってロールフィルタ４０の塵埃が掻き落とされる。
【００４０】
ロールフィルタ４０を第１ロール４１に巻き取る動作の間、マイコン７１は、巻取位置センサ６６の検出値を監視し（ステップＳ１３）、１回分に相当する長さだけロールフィルタ４０を巻き取ると（ステップＳ１３；Ｙｅｓ）、モータドライバ７３を制御して第１巻取モータ４５を停止させ（ステップＳ１４）、ブラシ昇降モータ６４を動作させて、ブラシ５１を捕集面４０Ａから離れさせる（ステップＳ１５）。これにより、ロールフィルタ４０の動きが停止し、捕集面４０Ａからブラシ５１が離れる。
【００４１】
ここで、マイコン７１は、第１ロール４１に巻き取った部分のロールフィルタ４０が再使用可能か否かを判別する（ステップＳ１７）。ロールフィルタ４０は、ブラシ５１により塵埃を掻き落とすことで、同じ部分を、フィルタとして複数回使用でき、その使用回数の上限は予め設定されている。マイコン７１は、ステップＳ１２〜Ｓ１３で巻き取った１回分のロールフィルタ４０の累積使用回数と、使用可能な上限とを比較し、この１回分のロールフィルタ４０が再使用できるか否かを判別する。
そして、再使用可能な場合には、巻き取り量を１回分に相当する長さに設定し（ステップＳ１６）、巻き取った部分を再使用できない場合は巻き取り量として２回分（１回分の２倍）に相当する長さを設定する（ステップＳ１８）。
巻き取り量が１回分に設定された場合、第１ロール４１から１回分のロールフィルタ４０が繰り出され、吸込口３１の下流側に配置される。この場合、ブラシ５１によって塵埃が書き取られた部分が再びフィルタとして使用される。これに対し、巻き取り量が２回分に設定された場合、第１ロール４１から２回分のロールフィルタ４０が繰り出される。すなわち、先にブラシ５１によって塵埃が書き取られた部分は第２ロール４２に巻き取られ、この部分に続く未使用の部分が、吸込口３１の下流側に配置されてフィルタとして使用される。つまり、巻き取り量が２回分に設定された場合には、フィルタとして使用する部分が未使用品に交換されたに等しい。
【００４２】
マイコン７１は、モータドライバ７３を制御して第２巻取モータ４６を動作させることにより、ロールフィルタ４０を第２ロール４２に巻き取って、順方向（図３の矢印Ａ方向）に移動させる（ステップＳ１９）。この巻き取り動作中、マイコン７１は、巻取位置センサ６６の検出値を監視し（ステップＳ２０）、設定された巻き取り量のロールフィルタ４０が巻き取られるまで、巻き取り動作を継続させる。
設定された巻き取り量の巻き取りが完了した場合（ステップＳ２０；Ｙｅｓ）、マイコン７１は、モータドライバ７３を制御して第２巻取モータ４６を停止させ（ステップＳ２１）、センサ制御回路７４によって取得されるダストボックスセンサ６８の検出値に基づいて、ダストボックス５７内の塵埃が満杯か否かを判別する（ステップＳ２２）。ここで、ダストボックス５７が満杯であれば（ステップＳ２２；Ｙｅｓ）、マイコン７１は、インジケータ２１Ａによる報知を行い（ステップＳ２３）、本処理を終了する。また、ダストボックスセンサ６８の検出値から、ダストボックス５７が満杯でないと判別した場合（ステップＳ２２；Ｎｏ）、マイコン７１は、そのまま本処理を終了する。
【００４３】
以上のように、本発明を適用した実施形態に係る天井埋込型空気調和機１００によれば、ロールフィルタ４０を第１巻取モータ４５及び第２巻取モータ４６によって繰り出し或いは巻き取ることにより、ロールフィルタ４０の表面に当接するブラシ５１によって、ロールフィルタ４０の表面に付着した塵埃を容易に除去することができ、除去された塵埃が集積されるダストボックス５７を昇降させることでダストボックス５７内の塵埃を簡単に破棄できる。これにより、ロールフィルタ４０のメンテナンスが容易で、ダストボックス５７を昇降する際の負荷が非常に軽くて済む天井埋込型空気調和機１００を実現できる。また、ロールフィルタ４０に付着した塵埃を除去することで、長期間にわたって交換せず使用可能なロールフィルタ４０の交換周期を、さらに長くすることができ、メンテナンスに係る労力を大幅に軽減できる。
【００４４】
また、吸込空気の塵埃を捕集したロールフィルタ４０を巻き取りつつブラシ５１によって塵埃を除去し、その後に、塵埃を除去した部分のロールフィルタ４０を再び吸込口３１と送風機９との間に繰り出す。このため、ロールフィルタ４０の塵埃を除去して繰り返し使用できる。これにより、ロールフィルタ４０の交換周期を大幅に延長することができ、メンテナンスに係る労力を軽減できる。
【００４５】
また、ブラシ５１をロールフィルタ４０の表面に接離可能に移動させる移動ユニット５０を備え、ブラシ５１をロールフィルタ４０の表面に当接させて塵埃を除去し、その後、ブラシ５１をロールフィルタ４０の表面から離して、塵埃を除去した部分のロールフィルタ４０を再び吸込口３１と送風機９との間に繰り出す。これにより、第１巻取モータ４５及び第２巻取モータ４６の動力を利用してロールフィルタ４０の表面から塵埃を効率よく除去できる。その一方で、単にロールフィルタ４０を巻き取り或いは繰り出す場合にはロールフィルタ４０にブラシ５１が当接しないので、ロールフィルタ４０を巻き取り或いは繰り出す動作を効率よく行うことができる。さらに、ブラシ５１とロールフィルタ４０との不要な接触を無くすことで、ブラシ５１及びロールフィルタ４０の耐久性の向上が期待できる。
【００４６】
さらに、ロールフィルタ４０において塵埃が付着する捕集面４０Ａに当接するブラシ５１と、ロールフィルタ４０を挟んでブラシ５１に対向する押さえ板５３とを備えているので、ロールフィルタ４０の捕集面４０Ａの塵埃を、効率よく確実に除去できる。
また、フィルタチャンバ２０に、ロールフィルタ４０と、第１巻取モータ４５及び第２巻取モータ４６と、ブラシ５１とを設け、吸込グリル３０にダストボックス５７のみを支持させたことで、吸込グリル３０及び昇降ユニット３５の負荷が軽く済む。
【００４７】
また、天井埋込型空気調和機１００は、制御回路７０が備えるマイコン７１によって、モータドライバ７３を介して第１巻取モータ４５、第２巻取モータ４６、及びブラシ昇降モータ６４を制御するとともに、センサ制御回路７４を介して巻取位置センサ６６及びダストボックスセンサ６８の検出値を取得して、ロールフィルタ４０の巻き取り及びブラシ５１と押さえ板５３の移動を行うので、効率のよい制御を行い、各部を素早く動作させる。そして、マイコン７１は、移動ユニット５０によりブラシ５１を捕集面４０Ａに当接させて、第１巻取モータ４５を駆動してロールフィルタ４０を巻き取って塵埃を除去し、続いてブラシ５１を捕集面４０Ａから離隔させて第２巻取モータ４６によってロールフィルタ４０を巻き取ることで、ロールフィルタ４０の同じ部分を何度も利用するので、ロールフィルタ４０の交換周期を延長し、メンテナンスの頻度を大幅に低下させることができる。ロールフィルタ４０の交換時期が来るまでの間、ユーザは、マイコン７１の制御によるインジケータ２１Ａの報知動作を見て、リモコン８０の操作によって吸込グリル３０を降下させ、ダストボックス５７内の塵埃を捨てるだけでよく、少ない労力で簡単なメンテナンスを行うだけで、塵埃によるロールフィルタ４０の目詰まり、及び、これに起因する運転効率の低下等を回避して、快適に天井埋込型空気調和機１００を使用できる。
【００４８】
以上、本発明の一実施形態について説明したが、本発明はこれに限定されるものではなく、種々の変更実施が可能である。例えば、上記実施形態において、ダストボックス５７が吸込グリル３０の裏面に設けられたリブ３３によって保持される構成を例に挙げて説明したが、本発明はこれに限定されるものではなく、ネジ等により固定されてもよいし、クリップ等により着脱可能に固定されていてもよい。また、ブラシ５１により捕集面４０Ａから掻き落とされた塵埃をダストボックス５７の上面に案内するガイドを、ブラシ５１の下方に設けてもよい。さらに、ダストボックス５７を昇降させる機構の具体的な構成も任意であって、４本の吊紐３６〜３９により吸込グリル３０全体を昇降させる構成のほか、吸込グリル３０の一部のみが昇降する構成としてもよく、この場合、吊紐の数は任意である。また、ロールフィルタ４０の塵埃を除去する構成はブラシ５１に限らず、回転式のブラシを用いることも可能であるし、第１ロール４１及び第２ロール４２を回転させる構成についても、伝達ギヤ４３、４４、第１巻取モータ４５及び第２巻取モータ４６を用いた機構に限定されず、例えばモータによって第１ロール４１及び第２ロール４２の軸を直接駆動してもよく、移動ユニット５０の具体的な構成も任意である。
さらに、本発明を適用した空気調和機は天井埋込型空気調和機１００に限らず、天井吊下型の空気調和機にも適用可能であり、その他の具体的態様も任意に変更可能である。
【図面の簡単な説明】
【００４９】
【図１】本発明の実施の形態に係る天井埋込型空気調和機の斜視図である。
【図２】天井埋込型空気調和機の分解斜視図である。
【図３】天井埋込型空気調和機の通常動作状態における断面図である。
【図４】天井埋込型空気調和機においてグリルを下降させた状態を示す断面図である。
【図５】天井埋込型空気調和機の要部構成を示す拡大図であり、（Ａ）は移動ユニットの構成を示す要部拡大側面図であり、（Ｂ）はダストボックスの取付状態を示す要部断面図である。
【図６】ロールフィルタの駆動に係る制御回路の構成を示す機能ブロック図である。
【図７】ロールフィルタの駆動に係る動作を示すフローチャートである。
【符号の説明】
【００５０】
１      本体ユニット
９      送風機
１１    熱交換器
１３    ドレンパン
２０    フィルタチャンバ
２１    化粧パネル
２２    吸込口
２６    吸込開口
３０    吸込グリル（昇降手段）
３１    吸込口
３３    リブ
３４    受け穴
３５    昇降ユニット（昇降手段）
４０    ロールフィルタ
４０Ａ  捕集面
４１    第１ロール
４２    第２ロール
４５    第１巻取モータ（巻取手段）
４６    第２巻取モータ（巻取手段）
４７、４８    ガイドローラ
５０    移動ユニット（移動手段）
５１    ブラシ
５３    押さえ板
５７    ダストボックス
６４    ブラシ昇降モータ
７０    制御回路
７１    マイコン
１００  天井埋込型空気調和機
【図１】
2010043786.tif 000003
【図２】
2010043786.tif 000004
【図３】
2010043786.tif 000005
【図４】
2010043786.tif 000006
【図５】
2010043786.tif 000007
【図６】
2010043786.tif 000008
【図７】
2010043786.tif 000009